【手続補正書】
【提出日】平成20年2月19日(2008.2.19)
【手続補正１】
【補正対象書類名】明細書
【補正対象項目名】特許請求の範囲
【補正方法】変更
【補正の内容】
【特許請求の範囲】
【請求項１】  第１ディジタル信号を入力する第１入力手段と、
前記第１ディジタル信号に同期した第２ディジタル信号を入力する第２入力手段と、
前記第１ディジタル信号レベルを監視する監視手段と、
前記第１ディジタル信号のレベルが変化した後の所定時間、前記第１ディジタル信号のレベルが同一のレベルである場合に、前記第１ディジタル信号を取り込む第１ディジタル信号取り込み手段と、
前記第１ディジタル信号取り込み手段による前記第１ディジタル信号の取り込みタイミングで前記第２ディジタル信号を取り込む第２ディジタル信号取り込み手段とを有することを特徴とする通信装置。
【請求項２】  前記第１ディジタル信号がクロック信号であり、前記第２ディジタル信号が前記クロック信号に同期して送信されるデータ信号であることを特徴とする請求項１記載の通信装置。
【請求項３】  さらに、前記所定時間を可変に設定する設定手段を有することを特徴とする請求項１記載の通信装置。
【請求項４】  ユニットと通信する通信装置を備えた画像形成装置であって、
前記通信装置は、
第１ディジタル信号を入力する第１入力手段と、
前記第１ディジタル信号に同期した第２ディジタル信号を入力する第２入力手段と、
前記第１ディジタル信号のレベルを監視する監視手段と、
前記第１ディジタル信号のレベルが変化した後の所定時間、前記第１ディジタル信号のレベルが同一のれべるである場合に、前記第１ディジタル信号を取り込む第１ディジタル信号取り込み手段と、
前記第１ディジタル信号取り込み手段による前記第１ディジタル信号の取り込みタイミングで前記第２ディジタル信号を取り込む第２ディジタル信号取り込み手段とを備えたことを特徴とする画像形成装置。
【請求項５】  前記ユニットは、両面ユニット、ＭＰＴ、及び封筒フィーダの少なくとも１つであり、前記画像形成装置は一つのユニットまたは複数のユニットと通信することを特徴とする請求項４に記載の画像形成装置。
【請求項６】  画像形成装置に接続され、前記画像形成装置と通信するための通信装置を備えたユニットであって、
前記通信装置は、
第１ディジタル信号を入力する第１入力手段と、
前記第１ディジタル信号に同期した第２ディジタル信号を入力する第２入力手段と、
前記第１ディジタル信号のレベルを監視する監視手段と、
前記第１ディジタル信号のレベルが変化した後の所定時間、前記第１ディジタル信号のレベルが同一のレベルである場合に、前記第１ディジタル信号を取り込む第１ディジタル信号取り込み手段と、
前記第１ディジタル信号取り込み手段による前記第１ディジタル信号の取り込みタイミングで前記第２ディジタル信号を取り込む第２ディジタル信号取り込み手段とを備えたことを特徴とする画像形成装置に接続されるユニット。
【請求項７】  前記ユニットは、両面ユニット、ＭＰＴ、及び封筒フィーダのいずれかであることを特徴とする請求項６に記載の画像形成装置に接続されるユニット。
【請求項８】  第１ディジタル信号を入力する第１入力手段と、前記第１ディジタル信号に同期した第２ディジタル信号を入力する第２入力手段とを有する通信装置における通信方法であって、
前記第１ディジタル信号のレベルを監視する監視ステップと、
前記第１ディジタル信号のレベルが変化した場合、レベルが変化した後の所定時間における前記第１ディジタル信号のレベルに基づいて、前記第１ディジタル信号を取り込む第１ディジタル信号取り込みステップと、
前記第１ディジタル信号取り込みステップによる前記第１ディジタル信号の取り込みタイミングで前記第２ディジタル信号を取り込む第２ディジタル信号取り込みステップとを有することを特徴とする通信方法。
【請求項９】  前記第１ディジタル信号がクロック信号であり、前記第２ディジタル信号が前記クロック信号に同期して送信されるデータ信号であることを特徴とする請求項８記載の通信方法。
【請求項１０】  入力されるクロック信号に同期してデータ信号を送信可能な通信装置において、
クロック信号を入力するクロック信号入力手段と、
データ信号を送信するデータ信号送信手段と、
前記クロック信号の状態を監視する監視手段と、
前記クロック信号の状態が変化した後の所定時間における前記クロック信号の状態に基づいて、前記クロック信号を取り込むクロック信号取り込み手段とを有し、
前記データ信号送信手段は、前記クロック信号取り込み手段により取り込まれたクロック信号に同期して前記データ信号を送信することを特徴とする通信装置。
【請求項１１】  前記所定時間は、少なくとも、前記クロック信号の周期の１／４以下に設定されることを特徴とする請求項１０に記載の通信装置。
【請求項１２】  さらに、前記所定時間を可変に設定する設定手段を有することを特徴とする請求項１０記載の通信装置。
【請求項１３】  ユニットと通信する通信装置を備えた画像形成装置であって、
前記通信装置は、
クロック信号を入力するクロック信号入力手段と、
データ信号を送信するデータ信号送信手段と、
前記クロック信号の状態を監視する監視手段と、
前記クロック信号の状態が変化した後の所定時間における前記クロック信号の状態に基づいて、前記クロック信号を取り込むクロック信号取り込み手段とを有し、
前記データ信号送信手段が前記クロック信号取り込み手段により取り込まれたクロック信号に同期して前記データ信号を送信することを特徴とする画像形成装置。
【請求項１４】  前記ユニットは、両面ユニット、ＭＰＴ、及び封筒フィーダのいずれかであり、前記画像形成装置は一つのユニットまたは複数のユニットと通信可能であることを特徴とする請求項１３に記載の画像形成装置。
【請求項１５】  画像形成装置に接続されるユニットであって、
クロック信号を入力するクロック信号入力手段と、
データ信号を送信するデータ信号送信手段と、
前記クロック信号の状態を監視する監視手段と、
前記クロック信号の状態が変化した後の所定時間における前記クロック信号の状態に基づいて、前記クロック信号を取り込むクロック信号取り込み手段とを有し、
前記データ信号送信手段が前記クロック信号取り込み手段により取り込まれたクロック信号に同期して前記データ信号を送信する通信装置を備え、
前記通信装置を用いて前記画像形成装置と通信することを特徴とする画像形成装置に接続されるユニット。
【請求項１６】  前記ユニットは、両面ユニット、ＭＰＴ、及び封筒フィーダのいずれかであることを特徴とする請求項１５に記載の画像形成装置に接続されるユニット。
【請求項１７】  ディジタル信号を入力するディジタル信号入力手段と、データ信号を送信するデータ信号送信手段とを有する通信装置における通信方法であって、
前記第１ディジタル信号の状態を監視する監視ステップと、
前記クロック信号の状態が変化した後の所定時間における前記クロック信号の状態に基づいて、前記クロック信号を取り込むクロック信号取り込みステップと、
前記クロック信号取り込みステップで取り込まれたクロック信号に同期して前記データ信号を送信するデータ信号送信ステップとを有することを特徴とする通信方法。
【請求項１８】  前記所定時間は、少なくとも、前記クロック信号の周期の１／４以下に設定されることを特徴とする請求項１７に記載の通信方法。
【手続補正２】
【補正対象書類名】明細書
【補正対象項目名】００１５
【補正方法】変更
【補正の内容】
【００１５】
【課題を解決するための手段】
上記目的を達成するために、本発明の通信装置は、第１ディジタル信号を入力する第１入力手段と、前記第１ディジタル信号に同期した第２ディジタル信号を入力する第２入力手段と、
前記第１ディジタル信号のレベルを監視する監視手段と、前記第１ディジタル信号のレベルが変化した後の所定時間、前記第１ディジタル信号のレベルが同一のレベルである場合に、前記第１ディジタル信号を取り込む第１ディジタル信号取り込み手段と、前記第１ディジタル信号取り込み手段による前記第１ディジタル信号の取り込みタイミングで前記第２ディジタル信号を取り込む第２ディジタル信号取り込み手段とを有する。
【手続補正３】
【補正対象書類名】明細書
【補正対象項目名】００１６
【補正方法】変更
【補正の内容】
【００１６】
また、本発明の画像形成装置は、ユニットと通信する通信装置を備えた画像形成装置であって、前記通信装置は、第１ディジタル信号を入力する第１入力手段と、前記第１ディジタル信号に同期した第２ディジタル信号を入力する第２入力手段と、前記第１ディジタル信号のレベルを監視する監視手段と、前記第１ディジタル信号のレベルが変化した後の所定時間、前記第１ディジタル信号のレベルが同一のれべるである場合に、前記第１ディジタル信号を取り込む第１ディジタル信号取り込み手段と、前記第１ディジタル信号取り込み手段による前記第１ディジタル信号の取り込みタイミングで前記第２ディジタル信号を取り込む第２ディジタル信号取り込み手段とを有する。
【手続補正４】
【補正対象書類名】明細書
【補正対象項目名】００１７
【補正方法】変更
【補正の内容】
【００１７】
また、本発明のユニットは、画像形成装置に接続され、前記画像形成装置と通信するための通信装置を備えたユニットであって、前記通信装置は、第１ディジタル信号を入力する第１入力手段と、前記第１ディジタル信号に同期した第２ディジタル信号を入力する第２入力手段と、前記第１ディジタル信号のレベルを監視する監視手段と、前記第１ディジタル信号のレベルが変化した後の所定時間、前記第１ディジタル信号のレベルが同一のレベルである場合に、前記第１ディジタル信号を取り込む第１ディジタル信号取り込み手段と、前記第１ディジタル信号取り込み手段による前記第１ディジタル信号の取り込みタイミングで前記第２ディジタル信号を取り込む第２ディジタル信号取り込み手段とを有する。
【手続補正５】
【補正対象書類名】明細書
【補正対象項目名】００１８
【補正方法】変更
【補正の内容】
【００１８】
また、本発明の通信方法は、第１ディジタル信号を入力する第１入力手段と、前記第１ディジタル信号に同期した第２ディジタル信号を入力する第２入力手段とを有する通信装置における通信方法であって、前記第１ディジタル信号のレベルを監視する監視ステップと、前記第１ディジタル信号のレベルが変化した場合、レベルが変化した後の所定時間における前記第１ディジタル信号のレベルに基づいて、前記第１ディジタル信号を取り込む第１ディジタル信号取り込みステップと、前記第１ディジタル信号取り込みステップによる前記第１ディジタル信号の取り込みタイミングで前記第２ディジタル信号を取り込む第２ディジタル信号取り込みステップとを有する。
【手続補正６】
【補正対象書類名】明細書
【補正対象項目名】００１９
【補正方法】変更
【補正の内容】
【００１９】
また、本発明の他の通信装置は、入力されるクロック信号に同期してデータ信号を送信可能な通信装置において、クロック信号を入力するクロック信号入力手段と、データ信号を送信するデータ信号送信手段と、前記クロック信号の状態を監視する監視手段と、前記クロック信号の状態が変化した後の所定時間における前記クロック信号の状態に基づいて、前記クロック信号を取り込むクロック信号取り込み手段とを有し、前記データ信号送信手段は、前記クロック信号取り込み手段により取り込まれたクロック信号に同期して前記データ信号を送信する。
【手続補正７】
【補正対象書類名】明細書
【補正対象項目名】００２０
【補正方法】変更
【補正の内容】
【００２０】
また、本発明の他の画像形成装置は、ユニットと通信する通信装置を備えた画像形成装置であって、前記通信装置は、クロック信号を入力するクロック信号入力手段と、データ信号を送信するデータ信号送信手段と、前記クロック信号の状態を監視する監視手段と、前記クロック信号の状態が変化した後の所定時間における前記クロック信号の状態に基づいて、前記クロック信号を取り込むクロック信号取り込み手段とを有し、前記データ信号送信手段が前記クロック信号取り込み手段により取り込まれたクロック信号に同期して前記データ信号を送信する。
【手続補正８】
【補正対象書類名】明細書
【補正対象項目名】００２１
【補正方法】変更
【補正の内容】
【００２１】
また、本発明の他のユニットは、画像形成装置に接続されるユニットであって、
クロック信号を入力するクロック信号入力手段と、データ信号を送信するデータ信号送信手段と、前記クロック信号の状態を監視する監視手段と、前記クロック信号の状態が変化した後の所定時間における前記クロック信号の状態に基づいて、前記クロック信号を取り込むクロック信号取り込み手段とを有し、前記データ信号送信手段が前記クロック信号取り込み手段により取り込まれたクロック信号に同期して前記データ信号を送信する通信装置を備え、前記通信装置を用いて前記画像形成装置と通信する。
【手続補正９】
【補正対象書類名】明細書
【補正対象項目名】００２２
【補正方法】変更
【補正の内容】
【００２２】
また、本発明の他の通信方法は、ディジタル信号を入力するディジタル信号入力手段と、データ信号を送信するデータ信号送信手段とを有する通信装置における通信方法であって、前記第１ディジタル信号の状態を監視する監視ステップと、前記クロック信号の状態が変化した後の所定時間における前記クロック信号の状態に基づいて、前記クロック信号を取り込むクロック信号取り込みステップと、前記クロック信号取り込みステップで取り込まれたクロック信号に同期して前記データ信号を送信するデータ信号送信ステップとを有する。
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】